(57)【特許請求の範囲】
【請求項１】
顧客が端末装置を使い商品を注文し、精算端末が該端末装置の注文結果に基づいて会計するテーブルオーダーシステムにおいて、
前記端末装置は、
支払い時に手渡す予定の金額である預け金額の情報を入力する入力手段と、
前記入力手段で入力された預け金額の情報と客の識別情報を含む会計予約情報を生成する生成手段と、
前記生成手段で生成された会計予約情報を送信する送信手段と、
を有し、
前記精算端末は、
前記会計予約情報を受信する受信手段と、
客の識別情報の入力を受けて顧客を特定する特定手段と、
前記特定手段で特定された顧客に対応する前記会計予約情報に基づいて釣銭を報知する精算手段と、
を有する
ことを特徴とするテーブルオーダーシステム。
【請求項２】
前記入力手段は、グループ内の顧客の預け金額の情報を個別に入力でき、
前記生成手段は、前記入力手段で入力されたグループ内の顧客毎に会計予約情報を生成する
ことを特徴とする請求項１に記載のテーブルオーダーシステム。
【請求項３】
前記端末装置は、前記入力手段で入力された前記預け金額の情報を印字する印字手段を有することを特徴とする請求項１または２に記載のテーブルオーダーシステム。
【請求項４】
前記印字手段は、前記客の識別情報を合わせて印字し、
前記特定手段は、前記印字手段で印字された前記客の識別情報に基づく入力により顧客を特定する
ことを特徴とする請求項３に記載のテーブルオーダーシステム。
【請求項５】
前記印字手段は、グループの顧客の前記預け金額の情報を個別に印字することを特徴とする請求項３に記載のテーブルオーダーシステム。
【請求項６】
前記精算端末は、前記精算手段により報知された釣銭を自動釣銭機により出金させる出金手段を有することを特徴とする請求項１から５のいずれか１の項に記載のテーブルオーダーシステム。
【請求項７】
前記端末装置は、受取る釣銭の紙幣及び貨幣の種類を指定して貨幣種情報として入力する貨幣種入力手段を有し、
前記生成手段は、前記貨幣種入力手段で入力された貨幣種情報を含む会計予約情報を生成し、
前記出金手段は、前記貨幣種情報を含む会計予約情報に従って釣銭の紙幣及び貨幣を出金する
ことを特徴とする請求項６に記載のテーブルオーダーシステム。
【請求項８】
前記精算端末は、
前記自動釣銭機から貨幣の収納情報を受信する貨幣種収納情報受信手段と、
前記貨幣種収納情報受信手段で受信された貨幣の収納情報と前記会計予約情報に基づき、釣銭の過不足を計算し報知する報知手段と、
を有する
ことを特徴とする請求項６または７に記載のテーブルオーダーシステム。
【請求項９】
前記精算端末は、
預け金額を入力する預け金額入力手段を有し、
前記精算手段は、前記特定手段で特定された顧客に対応する会計予約情報に預け金額が含まれなかった場合に、前記預け金額入力手段により入力された預け金額を基に釣銭を計算する
ことを特徴とする請求項１から８のいずれか１の項に記載のテーブルオーダーシステム。
【発明の詳細な説明】
【技術分野】
【０００１】
本発明は、フードコート等の飲食店において使用されるテーブルオーダーシステムに関する。
【背景技術】
【０００２】
現在、飲食店などにおいて使用されるテーブルオーダーシステムには、飲食店などのテーブルに設置された注文入力端末を使って顧客自身が商品の注文をすることを可能にするシステムがある（例えば特許文献１）。このシステムにおいて、会計は出入り口付近に設置された精算端末で行われることが多く、飲食をした顧客の会計の際、店員が顧客から預かり金を受取った時に初めて釣銭がいくらであるかが計算され、店員は釣銭を準備し手渡す動作を繰り返す。
【特許文献１】特開２００２−１１７１２０号公報
【発明の開示】
【発明が解決しようとする課題】
【０００３】
しかし、従来のテーブルオーダーシステムでは、顧客からの預かり金を店員が受取り、店員により受取った金額が入力されて初めて預かった金額に応じて釣銭が計算されるので、入力する手間がかかり、顧客の会計が完了するまでに要する時間が長くなる。特に利用客が多い昼食時間帯などでは、前記精算端末は混雑し支払い待ちの行列ができてしまう、また預かった金額の入力ミスが発生する、という問題がある。
また、グループで飲食をした顧客の会計時に、その顧客の或る者が代表して飲食代をまとめて支払い、会計後に各人へ釣銭を分配するような場合、会計時には釣銭の貨幣種は考慮されないため、両替を要求されると顧客の会計が長引き次の顧客の会計が開始できない、という問題がある。
本発明は上記の点に鑑みてなされたものであり、その目的は、迅速なる会計を支援するテーブルオーダーシステムを提供することにある。
【課題を解決するための手段】
【０００４】
（１）本発明は上記の課題を解決するためになされたものであり、本発明の一態様は、顧客が端末装置を使い商品を注文し、精算端末が該端末装置の注文結果に基づいて会計するテーブルオーダーシステムにおいて、前記端末装置は、支払い時に手渡す予定の金額である預け金額の情報を入力する入力手段と、前記入力手段で入力された預け金額の情報と顧客の識別情報を含む会計予約情報を生成する生成手段と、前記生成手段で生成された会計予約情報を送信する送信手段と、を有し、前記精算端末は、前記会計予約情報を受信する受信手段と、顧客の識別情報の入力を受けて顧客を特定する特定手段と、前記特定手段で特定された顧客に対応する前記会計予約情報に基づいて釣銭を報知する精算手段と、を有することを特徴とするテーブルオーダーシステムである。
【０００５】
この発明によれば、顧客自ら注文入力する端末装置で注文入力とともに該注文入力された注文の支払い時に手渡す予定の金額（預け金額）の情報を予め入力することにより、該顧客へ手渡す釣銭が事前に計算できるので、店員は、精算端末から通知される事前に計算された釣銭を該顧客へ手渡すだけでよい。これにより、精算端末での混雑や待ち行列を少なくすることができる。つまり、該顧客の会計が長引き次の会計が開始できないという問題を回避することができる。
【０００６】
（２）また、本発明の一態様は、上記のテーブルオーダーシステムにおいて、前記入力手段は、グループ内の顧客の預け金額の情報を個別に入力でき、前記生成手段は、前記入力手段で入力されたグループ内の顧客毎に会計予約情報を生成することを特徴とする。
【０００７】
この発明によれば、グループの顧客が各人の預け金額を予め入力することにより、個別会計を行う場合に、その顧客へ手渡す釣銭が各人毎に事前に計算できるので、店員は、精算端末から通知される事前に計算された釣銭を各人毎に顧客へ手渡すだけでよい。これにより、精算端末での混雑や待ち行列を少なくすることができる。
【０００８】
（３）また、本発明の一態様は、上記のテーブルオーダーシステムにおいて、前記端末装置は、前記入力手段で入力された前記預け金額の情報を印字する印字手段を有することを特徴とする。
【０００９】
この発明によれば、顧客が注文したメニューの種類とそれに対応した会計情報を印字するので、顧客が飲食後の会計を事前に目視確認をすることができ控えを保持することができる。また、精算端末で会計後に該顧客へ手渡すレシートを省略することができる。
【００１０】
（４）また、本発明の一態様は、上記のテーブルオーダーシステムにおいて、前記印字手段は、前記顧客の識別情報を合わせて印字し、前記特定手段は、前記印字手段で印字された前記顧客の識別情報に基づく入力により顧客を特定する。
【００１１】
この発明によれば、印刷された識別情報を用いて顧客の会計情報を精算端末で呼出すことができ、顧客と注文したメニューの種類の特定が容易になる。
【００１２】
（５）また、本発明の一態様は、上記のテーブルオーダーシステムにおいて、前記印字手段は、グループの顧客の前記預け金額の情報を個別に印字することを特徴とする。
【００１３】
この発明によれば、複数の顧客の会計情報を個別に印刷することができるので、グループの顧客が個別会計を行う場合に、各人毎の会計情報の特定が容易になる。
【００１４】
（６）また、本発明の一態様は、上記のテーブルオーダーシステムにおいて、前記精算端末は、前記精算手段により報知された釣銭を自動釣銭機により出金させる出金手段を有することを特徴とする。
【００１５】
この発明によれば、計算された釣銭が自動的に自動釣銭機より出金されるので、出金された釣銭をそのまま顧客へ手渡すだけでよく、顧客の会計が完了するまでの会計時間を短縮することができ、また精算端末での支払い待ち行列や混雑を少なくすることができる。
【００１６】
（７）また、本発明の一態様は、上記のテーブルオーダーシステムにおいて、前記端末装置は、受取る釣銭の紙幣及び貨幣の種類を指定して貨幣種情報として入力する貨幣種入力手段を有し、前記生成手段は、前記貨幣種入力手段で入力された貨幣種情報を含む会計予約情報を生成し、前記出金手段は、前記貨幣種情報を含む会計予約情報に従って釣銭の紙幣及び貨幣を出金することを特徴とする。
【００１７】
この発明によれば、貨幣の種類を指定することができるので、顧客は会計時に指定したとおりの貨幣を受取ることができる。特に、一括会計を行う際に、代表者が会計後に各人へ釣銭を分配するような場合、分配のための両替を要求されることがなくなり、その顧客の会計が長引き次の顧客の会計が開始できないという問題を回避することができる。
【００１８】
（８）また、本発明の一態様は、上記のテーブルオーダーシステムにおいて、前記精算端末は、前記自動釣銭機から貨幣の収納情報を受信する貨幣種収納情報受信手段と、前記貨幣種収納情報受信手段で受信された貨幣の収納情報と前記会計予約情報に基づき、釣銭の過不足を計算し報知する報知手段と、を有することを特徴とする。
【００１９】
この発明によれば、自動釣銭機の貨幣収納情報（在高情報）と顧客の会計情報とに基づき、釣銭の過不足を貨幣種ごとに予め知ることができ、不足する貨幣種（釣銭）を事前に準備することができる。
【００２０】
（９）また、本発明の一態様は、上記のテーブルオーダーシステムにおいて、前記精算端末は、預け金額を入力する預け金額入力手段を有し、前記精算手段は、前記特定手段で特定された顧客に対応する会計予約情報に預け金額が含まれなかった場合に、前記預け金額入力手段により入力された預け金額を基に釣銭を計算することを特徴とする。
【００２１】
この発明によれば、注文入力端末にて預け金額の入力がなかった場合にも、会計処理を行うことができる。
【発明の効果】
【００２２】
本発明によれば、顧客自ら注文入力する端末装置で注文入力とともに該注文入力された注文の支払い時に手渡す予定の金額（預け金額）の情報を予め入力することにより、該顧客へ手渡す釣銭が事前に計算できるので、店員は、精算端末から通知される事前に計算された釣銭を該顧客へ手渡すだけでよい。これにより、精算端末での混雑や待ち行列を少なくすることができる。つまり、該顧客の会計が長引き次の会計が開始できないという問題を回避することができる。
【発明を実施するための最良の形態】
【００２３】
以下、図面を参照しながら本発明の実施形態について詳しく説明する。
図１、図２は、本発明の一実施形態によるテーブルオーダーシステムが実行する処理の概念を説明するための図である。テーブルオーダーシステムは、飲食店等に設置され、各テーブルに設置された注文端末に顧客が入力した注文を受け付けるとともに、注文情報に基づき会計処理を支援するシステムである。テーブルオーダーシステムにおいて、注文入力端末（端末装置）は、顧客からの商品のメニュー注文と会計予約（会計方法、支払い時に手渡す金額（預け金）、貨幣種など）の入力を受付ける。出入り口付近に設置された精算端末は、テーブルオーダーシステムを統括する管理装置から注文入力端末に入力されたメニュー注文と会計予約に基づいて事前に計算された釣銭の情報を受信する。
【００２４】
図１は、客１と客２の精算を個別に行う場合の例を示した図である。客１は、６００円のラーメン、５００円の餃子の注文を注文入力端末に入力し、客２は７００円のうどん、２００円のいなりの注文を注文入力端末に入力する。注文入力端末は、客１と客２の小計をそれぞれ計算して、客１の小計が１１００円、客２の小計が９００円となることを客１と客２へ通知する。次に、客１と客２は、それぞれ注文入力端末にて預け金額を入力する。客１が２０００円を、客２が１００００円を入力すると、注文入力端末は入力された注文内容と預け金額に対する釣銭を計算し、客１と客２へ通知する。この場合、客１の釣銭は５００円硬貨１枚と、１００円硬貨４枚と、になり、客２の釣銭は５０００円札１枚と、１０００円札４枚と、１００円硬貨１枚と、になる。支払いを行う際には、精算端末に管理装置から通知された５０００円札１枚と、１０００円札４枚と、５００円硬貨１枚と、１００円硬貨５枚と、が用意されており、客１が２０００円を、客２が１００００円を支払うと、店員は用意された釣銭をそれぞれ客１と客２に手渡す。
【００２５】
図２は、客１と客２の精算を代表者が一括して行う場合の例を示した図である。客１と客２は、注文入力端末にて、６００円のラーメン、５００円の餃子、７００円のうどん、２００円のいなりの注文を入力する。注文入力端末は、合計を計算して、合計が２０００円になったことを客１と客２へ通知する。次に、客１と客２は、注文入力端末にて、預け金額を入力する。代表者が５０００円と入力すると、注文入力端末は入力された注文内容と預け金額に対する釣銭を計算し、客１と客２へ通知する。この場合、１０００円札が３枚になる。支払いを行う際には、精算端末に管理装置から通知された釣銭１０００円札３枚が用意されており、代表者が５０００円を支払うと、店員は用意された釣銭を代表者へ手渡す。
【００２６】
図３は、テーブルオーダーシステムにおけるシステム構成図を示した図である。テーブルオーダーシステムは、管理装置２１０と、注文入力端末２２０と、プリンタ２３０と、無線トランシーバ２４０と、精算端末２５０と、キッチンプリンタ２６０と、有線ＬＡＮ２７０と、を含んで構成される。
【００２７】
管理装置２１０は、飲食店などの事務所などに設置され、テーブルオーダーシステムを統括して管理するコンピュータである。ここで、管理装置２１０は、顧客が注文入力端末２２０に入力した情報を基に生成された注文データ及び会計予約情報を注文入力端末２２０から収集し顧客毎に管理する。注文データには、顧客がメニュー注文した内容が含まれており、会計予約情報には、会計方法（個別精算か一括精算か）、預け金額、釣銭の情報などが含まれている。また、管理装置２１０は、注文データ及び会計予約情報を精算端末２５０へ送信し、各顧客の会計を実施可能にする。
なお、管理装置２１０には有線ＬＡＮによる通信機能が備わっており、飲食店内に敷設された有線ＬＡＮ（Ｌｏｃａｌ  Ａｒｅａ  Ｎｅｔｗｏｒｋ）を介し、無線トランシーバ２４０、精算端末２５０と通信可能に接続されている。このＬＡＮの通信方式には、例えばＴＣＰ／ＩＰ（Ｔｒａｎｓｍｉｓｓｉｏｎ  Ｃｏｎｔｒｏｌ  Ｐｒｏｔｏｃａｌ／Ｉｎｔｅｒｎｅｔ  Ｐｒｏｔｏｃｏｌ）が利用されており、数１０〜１００Ｍｂｐｓのデータ転送速度で各装置間の通信が行えるようになっている。
【００２８】
注文入力端末２２０は、飲食店の各テーブルに設置されており、メニュー注文及び会計予約を入力することができる。ここで、注文入力端末２２０は、保持するメニューデータに基づきメニューを表示し、顧客の入力を基に注文データを生成する。また、注文入力端末２２０は、入力されたメニュー注文に対する会計予約の入力を受け、入力された会計予約を基に会計予約情報を生成する。生成された注文データ及び会計予約情報は、管理装置２１０へ送信される。
【００２９】
図４は、注文入力端末２２０の構成を示すブロック図である。注文入力端末２２０は、注文入力端末２２０を統括して制御するＣＰＵ２２８と、ＣＰＵ２２８のプログラムが記憶されたＲＯＭ（リードオンリメモリ）２２１と、データ一時記憶用のＲＡＭ（ランダムアクセスメモリ）２２２と、バーコード等から情報を読み取るスキャナ部２２３と、画面を表示し顧客からの入力を受け付ける液晶表示タッチパネル部２２４と、管理装置２１０と通信を行う無線通信部２２５と、顧客が操作を行う操作部２２６と、音声案内をするスピーカ２２７と、を含んで構成される。
【００３０】
精算端末２５０は、飲食店の出入口付近に設置され、顧客の代金精算において使用される端末装置である。ここで、精算端末２５０は、会計処理に必要となる各顧客の注文データ及び会計予約情報を管理装置２１０から受信し、保持している。店員が顧客識別情報を入力すると、精算端末２５０は、顧客識別情報に対応した注文データ及び会計予約情報を店員に通知する。店員は表示された会計情報に基づいて会計処理を行う。顧客識別情報は、各顧客に割り振られ、顧客を識別するための情報であり、テーブルＮｏ、顧客Ｎｏなどが含まれている。店員が顧客から飲食代金を受け取り、精算端末２５０を操作すると、精算端末２５０は、会計予約情報に基づいて釣銭を自動釣銭機から出金する。また、精算端末２５０は注文データ、会計予約情報、顧客識別情報を基にレシートを印刷出力する機能を備えている。
【００３１】
図５は、精算端末２５０の構成を示すブロック図である。精算端末２５０は、精算端末２５０を統括して制御するＣＰＵ３０１と、会計データを蓄積するためのハードディスク３０２と、ＣＰＵ３０１のプログラムが記憶されたＲＯＭ３０３と、データ一時記憶用のＲＡＭ３０４と、バーコード等から情報を読み取るスキャナ部３０５と、画面を表示し店員からの入力を受け付ける液晶タッチパネル部３０６と、顧客が会計処理状況を把握するために料金等を表示する客用表示部３０７と、レシートを印字するレシート印字部３０８と、貨幣を収納するドロワ部３０９と、管理装置２１０と通信を行う通信部３１０と、店員が操作を行う操作部３１１と、ＩＣ（Ｉｎｔｅｇｒａｔｅｄ  Ｃｉｒｃｕｉｔ，集積回路）カードと通信を行うカードリーダ部３１２と、ＣＰＵ３０１が行う処理に応じてブザー音を発生させるブザー３１３と、を含んで構成される。
【００３２】
プリンタ２３０は、各注文入力端末２２０に対応して各テーブルに設置されており、対応する注文入力端末２２０と無線ＬＡＮにて接続されている。プリンタ２３０は、対応する注文入力端末２２０からの指示により、注文された品名、個数、顧客識別情報を含んだコード、などを印刷する。
無線トランシーバ２４０は、注文入力端末２２０と無線にて通信し、注文入力端末２２０にて入力された情報を管理装置２１０へ有線ＬＡＮ２７０を通じて送信する。
キッチンプリンタ２６０は、飲食店などのキッチンに設置され、管理装置２１０から受信した注文データを調理者に通知するために調理指示伝票を印刷する。
【００３３】
図６は、管理装置２１０が管理するメニューデータの一例である。管理装置２１０は、このメニューデータを各注文入力端末２２０へ配信する。注文入力端末２２０は、受信したメニューデータに基づいてメニューの表示を行う。メニューデータには、商品名、価格、セット区分、単位、規格容量、カロリー、添加物、アレルギー物質、コメントなどが商品コードごとに関連付けられて記憶されている。
図７は、管理装置２１０が管理する注文データの一例である。注文データは、注文入力端末２２０にて顧客が入力した情報を基に生成され、注文入力端末２１０から管理装置２１０へ送信される。注文データには、商品名、価格、数量、カロリーなどが顧客識別情報と商品コードに関連付けられて記憶されている。
【００３４】
図８は、管理装置２１０が管理する会計予約情報の一例である。会計予約情報は、注文入力端末２２０にて顧客が入力した情報を基に生成され、注文入力端末２１０から管理装置２１０を介して精算端末２５０へ送信される。会計予約情報には、会計方法、合計注文金額、合計注文数、予約貨幣種、予約枚数、釣銭貨幣種、釣銭枚数、などが顧客識別情報に関連付けられて記憶されている。ここで、会計方法は清算時に個別精算を行うか一括精算を行うかの情報（例えば、図２の例では一括精算）、予約貨幣種は顧客が入力した預け金額として支払う予定の貨幣の種類（例えば、図２の例では５０００円札）、予約枚数は顧客が入力した支払う予定の貨幣の枚数（例えば、図２の例では１枚）、釣銭貨幣種は釣銭の貨幣種（例えば、図２の例では１０００円札）であり、合計注文金額と予約貨幣種と予約枚数及び顧客からの指定から計算され格納される。釣銭枚数は釣銭の枚数（例えば、図２の例では３枚）であり、合計注文金額と予約貨幣種と予約枚数及び顧客からの指定から計算され格納される。精算端末は、釣銭貨幣種及び釣銭枚数の欄に従って釣銭を自動釣銭機に払い出す。
【００３５】
図９は、精算端末２５０に記憶される釣銭収納情報の一例である。釣銭収納情報には、現在枚数、準備枚数、区分などが貨幣種に関連付けられて記憶されている。精算端末２５０は、釣銭収納情報と会計予約情報に基づき、釣銭の過不足を店員へ通知する手段を有している。これにより、店員は不足する貨幣種（釣銭）を事前に補充準備することができる。
図１０は、顧客識別情報の一例である。顧客識別情報には、テーブルＮｏ，人数、顧客Ｎｏ，日付時刻などが記憶されている。
【００３６】
図１１は、本実施形態における注文入力端末２２０の処理の流れの一例を表すフローチャートである。注文入力端末２２０は、処理選択画面を表示し（ステップＳ１００）、顧客により注文処理が選択されると、個別注文か一括注文かを選択する画面を表示する（ステップＳ１１２）。この際、注文入力端末２２０は、注文処理以外のものが選択されると他の処理（例えば、メンテナンス、注文確認など）を行う（ステップＳ１１１）。
【００３７】
注文入力端末２２０は、顧客により個別注文が選択されると、人数選択画面を表示する（ステップＳ１１３）。人数選択は、顧客が液晶表示タッチパネル部２２４により人数を選択するか、操作部２２６から数字を入力することにより行われる。ここで、選択できる人数は、テーブルへの着席可能な席数以上は選択できない仕様であり、注文入力端末２２０は、着席可能な座席以上の数字が入力された場合はエラーを報知する。
顧客が人数入力を終了し、画面に表示されている「ＯＫ」ボタンを押す（ステップＳ１１４）と、注文入力端末２２０は、顧客識別情報を生成し、個別注文登録画面を表示する（ステップＳ１１５）。顧客は表示されたメニュー画面から各人毎に注文を順次入力する。
顧客が人数分の注文を完了し、画面に表示されている「完了」ボタンを押す（ステップＳ１１６）と、注文入力端末２２０は、注文データを生成し、各人毎に入力されたメニュー注文に応じた単価及び数量ならびに単価に数量を乗じた金額と顧客毎の合計金額を表示する（ステップＳ１１７）。
【００３８】
顧客が注文内容を確認し、画面に表示されている各人の「支払／釣銭貨幣種」ボタンを選択すると、注文入力端末２２０は、個別会計の予約登録を行う画面を表示する（ステップＳ１１８）。この際、「支払／釣銭貨幣種」ボタンを顧客が選択しなかった場合には、従来通り食事後の会計として扱う。予約登録を行う画面では、貨幣種（１０，０００円札、５，０００円札、１，０００円札、５００円玉、１００円玉など）を指定して預け金額の情報を入力できる。
【００３９】
顧客が各人毎に人数分の予約登録を完了し、「完了」ボタンを押すと（ステップＳ１１９）、注文入力端末２２０は、個別会計予約計算を行い（ステップＳ１２０）、会計予約情報を生成する。個別会計予約計算では、各人毎の入力されたメニュー注文と預け金額から釣銭を計算する。例えば、図１における例では、客１のメニュー注文の小計が１１００円、預け金額が２０００円なので、客１の釣銭は９００円（５００円玉１枚、１００円玉４枚）となり、客２のメニュー注文の小計が９００円、預け金額が１００００円なので、客２の釣銭は９１００円（５０００円札１枚、１０００円札４枚、１００円玉１枚）となる。この際、預け金額がメニュー注文された小計金額を下回っていないかを確認する。
【００４０】
次に、注文入力端末２２０は、合計金額、預け金額、計算した釣銭を表示する（ステップＳ１２１）。顧客が画面の内容を確認し、「完了」ボタンを押すと（ステップＳ１２２）、注文入力端末２２０は、管理装置２１０を介して精算端末２５０へ注文データと会計予約情報を送信する（ステップＳ１２３）。最後に、注文入力端末２２０は、表示した情報を印刷するか否かを選択する画面を表示し（Ｓ１３３）、「印刷する」が選択されると、顧客識別情報と共に表示した注文内容、個別会計予約の情報をレシートに印刷する（Ｓ１３４）。
【００４１】
次に、ステップＳ１１２で表示した画面で一括注文が選択された場合の処理について説明する。注文入力端末２２０は、顧客識別情報を生成し、メニュー画面を表示する（ステップＳ１２４）。顧客が、メニュー画面より注文を選択し、全てのメニュー注文が完了して「完了」ボタンを押すと（ステップＳ１２５）、注文入力端末２２０は、注文データを生成し、選択されたメニュー注文と該メニュー注文に対応した単価及び数量ならびに該単価に該数量を乗じた金額表示と選択されたメニュー注文全ての合計数量及び合計金額を表示する（ステップＳ１２６）。顧客がメニュー注文した内容を確認の上「支払い／釣銭貨幣種」ボタンを選択すると、注文入力端末２２０は、一括会計の予約登録を行う画面を表示する（ステップＳ１２７）。この際、「支払／釣銭貨幣種」ボタンを顧客が選択しなかった場合には、従来通り食事後の会計として扱う。予約登録を行う画面では、貨幣種を指定して預け金額を入力できる。
【００４２】
顧客が予約登録を完了し、「完了」ボタンを押すと（ステップＳ１２８）、注文入力端末２２０は、一括会計予約計算を行い（ステップＳ１２９）、会計予約情報を生成する。一括会計予約計算では、入力されたメニュー注文と預け金額から釣銭を計算する。例えば、図２における例では、メニュー注文の合計が２０００円、預け金額が５０００円なので、釣銭は３０００円（１０００円札３枚）となる。この際、預け金額がメニュー注文全ての合計金額を下回っていないかを確認する。
次に、注文入力端末２２０は、合計金額、預け金額、計算した釣銭を表示する（ステップＳ１３０）。顧客が画面の内容を確認し、「完了」ボタンを押すと（ステップＳ１３１）、注文入力端末２２０は、管理装置２１０へ注文データと会計予約情報を送信する（ステップＳ１３２）。その後のステップＳ１３３以降の処理は個別精算時と同様なので説明を省略する。
【００４３】
図１２は、本実施形態における精算端末２５０の処理の流れの一例を表すフローチャートである。精算端末２５０は、処理を選択する画面（ステップＳ２００）から店員により会計処理が選択されると、顧客識別情報の入力を要求する。この際、精算端末２５０は、会計処理以外のものが選択されると他の処理（例えば、メンテナンス、注文確認など）を行う（ステップＳ２１１）。
【００４４】
次に、店員により顧客識別情報が入力される（ステップＳ２１２）。顧客識別情報は、例えば、注文入力端末２２０にて印刷されたレシートに印字してあるコードをスキャナ部３０５を用いて読み込むことにより精算端末２５０に入力される。顧客識別情報が精算端末２５０に入力されると、各顧客毎に記憶保持されている注文データの検索を行い、該当する注文データが在るか否かの判定を行う（ステップＳ１２３）。該当するデータがなかった場合は、ステップＳ２１２へ戻る。該当するデータがあった場合は、精算端末２５０は、会計予約登録済みか否かを判定する（ステップＳ１２４）。ここで、精算端末２５０は、入力された顧客識別情報に対応する会計予約情報が在る場合に、登録済みであると判定する。
【００４５】
会計予約登録済みである場合、精算端末２５０は、画面に顧客が飲食した会計、預け金額と釣銭を画面に表示する（ステップＳ２１５）。これにより、店員は顧客から預かり金を受取る前に支払う予定の預け金額と釣銭を確認することができる。顧客から店員へ預け金額で登録された貨幣種で預かり金が手渡され、店員が精算端末２５０に表示された「ＯＫ」ボタンを押す（ステップＳ２１６）と、精算端末２５０は、自動釣銭機に釣銭を払い出し（ステップＳ２１９）、会計処理情報を一取引として記憶する。精算端末２５０は、レシートを発行するか否かを選択する画面を表示し（ステップＳ２２１）、店員が「印字する」を選択すると、レシートを発行する。最後に精算端末２５０は、管理装置２１０に会計処理情報を送信する（ステップＳ２３１）。なお、顧客から手渡された預かり金額と会計予約で登録された預け金額とが相違する場合、ステップＳ２１５で預かり金額に入力し直して会計処理しても良い。
【００４６】
次に、ステップＳ２１４の処理において、会計予約登録済みでない場合について説明する。この場合の処理の流れは従来技術と同様であり、釣銭の計算は、顧客から預かり金を受取った後に行われる。精算端末２５０は、画面に顧客が飲食した会計を画面に表示する（ステップＳ２２３）。店員が「小計」ボタンを押し（ステップＳ２２４）、顧客から店員へ預かり金が手渡され、店員が金額を入力し（ステップＳ２２５）、「ＯＫ」ボタンを押す（ステップＳ２２６）と、精算端末２５０は、自動釣銭機へ釣銭を払い出し（ステップＳ２２７）、会計処理情報を一取引として記憶する（ステップＳ２２８）。次に精算端末２５０は、レシートを発行する（ステップＳ２２９）。作業が完了すると（ステップＳ２３０）と、その後のステップＳ２３１以降の処理は会計予約登録済みの場合と同様なので説明を省略する。
【００４７】
図１３は、上記ステップＳ１３４にて精算端末２５０が個別精算時に印刷するレシートの一例である。印刷されたレシートには、個別識別情報１０４、顧客毎の注文内容とその小計、預け金額１０５、釣銭１０６が印刷されており、レシートは顧客毎に切り離し可能である。個別識別情報１０４は、上記ステップＳ２１２において、精算端末２５０がスキャナ部３０５にて読み込むコードであり、これにより清算端末２５０は顧客識別情報を取得できる。また、印刷されたレシートに、会計方法１０７、グループ識別情報１００、グループ全体の合計金額１０１、グループ全体の釣銭１０２、顧客毎の預け金額１０３を印刷してもよい。この際、精算端末２５０は、上記ステップＳ２１２において、読み込むコードは、グループ識別情報１００と個人識別情報１０４のいずれを読み込んでもよい。グループ識別情報１００と個人識別情報１０４を印字することにより、会計時に顧客から会計方法の変更要望を受けたとしても、対応することができる。例えばグループ識別情報１００で会計情報を呼び出した場合には一括会計として処理され、個人識別情報１０４で会計情報を呼び出した場合は個別会計として処理されるので、顧客の要望に即応すすることができ正確且つ迅速に会計対応することができる。なお、レシートには、日付時刻、テーブルＮｏ、人数、伝票Ｎｏなども合わせて印刷されている。
【００４８】
図１４は、上記ステップＳ１３４にて精算端末２５０が一括精算時に印刷するレシートの一例である。印刷されたレシートには、会計方法２０４、グループ識別情報２００、合計金額２０１、釣銭２０２、預け金額２０３が印刷されている。精算端末２５０は、上記ステップＳ２１２において、グループ識別情報２００を読み込む。なお、レシートには、日付時刻、テーブルＮｏ、人数、伝票Ｎｏなども合わせて印刷されている。
図１５は、上記ステップＳ２２９にて会計予約をしない場合に精算端末２５０が印刷するレシートの一例である。日付時刻、テーブルＮｏ、人数、会計方法、合計金額、預け金額４００に加え、注文した商品名、数量、小計、合計、預け金額、お釣が印字されている。預け金額４００には「会計予約なし」と印字される。
【００４９】
なお、図１３、図１４、図１５に記載されたレシートでは、各メニュー注文された商品それぞれの個数印字は、注文個数が１個であるため省略されている。注文個数が２個以上の場合においては、品名の横に「（１）個数×（２）単価＝（３）金額」と印字される。
例えば、図１３の客１が餃子を２皿注文した場合は、
「餃子    ２皿  ×  ＠５００    ￥１，０００」
といった印字となり、小計に記載する数量は前記（１）個数を合計した小計数量となり、小計に記載する金額は（３）金額を合算した小計金額となる。
【００５０】
図１６は、上記ステップＳ１１７において注文入力端末２２０が表示する画面の一例である。画面には、顧客Ｎｏと、注文した商品の品名、注文した商品の値段、注文した商品の数、各人毎の小計、及びグループの合計金額が表示されている。
【００５１】
図１７は、上記ステップＳ１１８において注文入力端末２２０が表示する画面の一例である。画面には、合計金額と合計数量が表示されており、預け金額を指定することができる。預け金額は、１００００円札、５０００円札、１０００円札、５００円玉、１００円玉、の数をそれぞれ指定して入力することができる。また、釣銭受取指定で「両替指定」を選ぶと、両替を行い飲食した人数で分配できるように細かい貨幣で釣銭を受取る指定ができ（例えば５００円の場合、１００円玉５枚）、「高額紙幣を含む」を選ぶと高額紙幣を受取る指定ができる（例えば５００円の場合、５００円玉１個）。これにより、会計時に顧客からお金をまとめて受け取り一括で入金処理を行い、顧客が希望する貨幣種で釣銭を一括出金させて手渡すことができる。また、顧客の或る者が代表して飲食代をまとめて支払い、前記代表者が会計後に各人へ釣銭を分配するような場合、会計が済んだ後に各人へ釣銭を分配するために両替を要求されるということを回避できる。
【００５２】
図１８は、上記ステップＳ１２１において注文入力端末２２０が表示する画面の一例である。画面には、顧客毎の預け金額、顧客毎の注文した商品の小計、顧客毎の釣銭と、グループ全体の合計預け金額、グループ全体の注文した商品の合計金額、グループ全体の合計釣銭が表示されている。客１の預け金額は１００００円、小計は１１００円、預け金額と小計から計算した釣銭は８９００円となり、客２の預け金額は１０００円、小計は９００円、計算した釣銭は１００円となる。また、グループ全体の合計預け金額は１１０００円、グループ全体の合計金額は２０００円、グループ全体の合計釣銭は９０００円となる。これにより、顧客はあらかじめ自分が支払う預け金額と釣銭を把握することができる。
【００５３】
このように、本実施形態によれば、顧客によって注文入力端末２２０に入力された注文データ及び会計予約情報に基づき釣銭を計算し、精算端末２５０にて自動的に出金される。これにより、精算時に受取った預け金額に従って釣銭をどのように渡すかを店員が判断することなく、顧客が希望する貨幣種で出金された釣銭をそのまま顧客へ手渡すだけでよく、顧客全ての会計が完了するまでの会計時間を短縮することができ、精算端末での支払い待ち行列や混雑を少なくすることができる。つまり、該顧客の会計が長引き次の会計が開始できないという問題を回避することができる。
【００５４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００５５】
例えば、本実施形態においては、注文入力端末２２０は卓上に設置されているものを使用したが、携帯端末を利用してもよい。図１９は、携帯端末５００の構成を示したブロック図である。携帯端末５００は、ペン型の外観形状を有しており、携帯端末５００を統括して制御するＣＰＵ５０１、ＣＰＵ５０１のプログラムが記憶されたＲＯＭ５０２、データ一時記憶用のＲＡＭ５０３と、音声案内用の音声を生成する音声合成回路５０４と、音声案内を行うスピーカ５０５と、例えばＺｉｇＢｅｅなどの無線通信方式を利用して管理装置２１０と通信を行う無線通信部５０６と、管理装置２１０及び精算端末２５０とクレイドルを介して通信するためのＵＳＢ  Ｉ／Ｆ５０７と、メニューコードブックに記載されたコードを読み取るコードリーダ５０８と、バッテリー５０９と、バッテリー状態を通知するＬＥＤインジケータ５１０と、を含んで構成される。
【００５６】
携帯端末５００を使用する際は、注文入力端末２２０にて画面表示していた情報（メニュー画面、会計予約情報等）はプリンタ２３０により印刷もしくはスピーカ５０５により音声案内を用いて顧客に通知する。また顧客からの入力はコードリーダ５０８を用いてメニューやカードに印刷されたコードを読み取ることにより行う。また、上記ステップＳ２１２にて精算端末２５０において顧客識別情報を取得する際に、精算端末２５０に接続されたクレイドルへ携帯端末５００を接続して顧客識別情報及び注文データ、会計予約情報などを取得してもよい。
【００５７】
なお、携帯端末５００を使用する際は、注文データと会計予約情報を管理端末２１０に送信する際、携帯端末５００から無線トランシーバ２４０を介して管理端末２１０への通信を行わずに、顧客が注文入力と会計予約登録が終わり次第、店員により携帯端末５００を回収する方法を用いても良い。この際、店員は回収した携帯端末５００を管理装置２１０に設置されたクレイドルへ挿入することにより注文データ及び会計予約情報を管理装置２１０へ取り込む。取り込んだ注文データはキッチンプリンタ２６０へ送信され、キッチンプリンタ２６０は調理作業者に注文内容を伝えるために調理指示伝票を印刷する。また、この際、精算端末２５０は、読み込んだ顧客識別情報に対応する顧客の注文データ及び会計予約情報を管理装置２１０へ問い合わせを行い、取得してもよい。
【００５８】
また、来店時に図２０に示すカードを顧客に配布して、該カードＮｏを顧客識別情報としてもよい。この際、注文入力端末２２０はスキャナ部２２３もしくは携帯端末５００はコードリーダ５０８にてカードに印字されたコードを読み取ることにより顧客識別情報を取得し、裏面に印字されたコードを読み取ることにより注文会計方式、人数、メニュー注文、預け金額、釣銭受取指定などを設定することができる。精算端末２５０は、上記ステップＳ２１２にてこのカードに印字されたコードを読み取ることにより顧客識別情報を取得する。
【００５９】
また、図１３、図１４に印刷された個別識別情報１０４、グループ識別情報１００、グループ識別情報２００は、印刷しなくてもよい。その際、顧客識別情報は、顧客が飲食したテーブル番号、もしくはテーブルに設置された注文入力端末の番号となる。または、カードを使用してもよい。また、その際、図１３で示した個別精算時に印刷するレシートは、印刷するか印刷しないかを顧客毎に選択することができる。例えば、客１のレシートは印刷し、客２のレシートは印刷しないということもできる。
【００６０】
なお、本実施形態においては、顧客がメニュー注文する際に、注文入力端末２２０の画面に表示されたメニューを選択し、注文を行っているが、メニューコードブック上のコードを注文入力端末２２０あるいは携帯端末５００に読ませて注文しても良い。また、メニューコードブック上のコードに限らず、ショーケースなどの皿盛りされた飲食物の説明ＰＯＰ（Ｐｏｉｎｔ  ｏｆ  Ｐｕｒｃｈａｓｅ）などに印字されたコード及び商品に付されたバーコードなどのコード情報を注文入力端末２２０が読み取っても良い。
【００６１】
また、本実施形態においては、会計時に顧客に手渡す釣銭をまとめて出金しているが、顧客毎に出金させても良い。
【００６２】
また、本実施形態においては、自動釣銭機の現金在高に関係なく、注文入力端末２２０で会計予約登録時に貨幣種の入力をさせているが、会計予約情報と自動釣銭機の現金在高に基づき事前に計算を行い、顧客に手渡す釣銭で不足している貨幣種が存在した場合に、顧客に手渡す釣銭を別の貨幣種で渡しても良いかの確認とお願いのメッセージを表示させても良い。例えば、５０００円札が不足しているので１０００円札５枚で釣銭を渡す、または５００円玉が不足しているので全て１００円玉で釣銭を渡すなどが考えられる。
【００６３】
なお、本実施形態においては、注文入力端末２２０で事前に釣銭の計算を実施しているが、管理装置２１０で計算し、計算した釣銭結果を注文入力端末２２０及び精算端末２５０へ送信しても良い。また、精算端末２５０で会計予約情報に基づき釣銭を計算しても良い。
【図面の簡単な説明】
【００６４】
【図１】本発明の一実施形態によるテーブルオーダーシステムが実行する処理の概念を説明するための図である。
【図２】本発明の一実施形態によるテーブルオーダーシステムが実行する処理の概念を説明するための図である。
【図３】本実施形態におけるテーブルオーダーシステムにおけるシステム構成図を示した図である。
【図４】本実施形態における注文入力端末の構成を示すブロック図である。
【図５】本実施形態における精算端末の構成を示すブロック図である。
【図６】本実施形態における管理装置が管理するメニューデータの一例である。
【図７】本実施形態における管理装置が管理する注文データの一例である。
【図８】本実施形態における管理装置が管理する会計予約情報の一例である。
【図９】本実施形態における精算端末に記憶される釣銭収納情報の一例である。
【図１０】本実施形態における顧客識別情報の一例である。
【図１１】本実施形態における注文入力端末の処理の流れの一例を表すフローチャートである。
【図１２】本実施形態における精算端末の処理の流れの一例を表すフローチャートである。
【図１３】本実施形態における精算端末が個別精算時に印刷するレシートの一例である。
【図１４】本実施形態における精算端末が一括精算時に印刷するレシートの一例である。
【図１５】本実施形態における会計予約をしない場合に精算端末が印刷するレシートの一例である。
【図１６】本実施形態における注文入力端末が表示する画面の一例である。
【図１７】本実施形態における注文入力端末が表示する画面の一例である。
【図１８】本実施形態における注文入力端末が表示する画面の一例である。
【図１９】携帯端末の構成を示したブロック図である。
【図２０】顧客識別情報を表す顧客カードの一例である。
【符号の説明】
【００６５】
２１０…管理装置  ２２０…注文入力端末  ２３０…プリンタ  ２４０…無線トランシーバ  ２５０…精算端末  ２６０…キッチンプリンタ  ２７０…有線ＬＡＮ  ２２１…ＲＯＭ  ２２２…ＲＡＭ  ２２３…スキャナ部  ２２４…液晶表示タッチパネル部  ２２５…無線通信部  ２２６…操作部  ２２７…スピーカ  ２２８…ＣＰＵ  ３０１…ＣＰＵ  ３０２…ハードディスク  ３０３…ＲＯＭ  ３０４…ＲＡＭ  ３０５…スキャナ部  ３０６…液晶タッチパネル部  ３０７…客用表示部  ３０８…レシート印字部  ３０９…ドロワ部  ３１０…通信部  ３１１…操作部  ３１２…カードリーダ部  ３１３…ブザー  １００…グループ識別情報  １０１…合計金額  １０２…グループ全体の釣銭  １０３…顧客毎の預け金額  １０４…個別識別情報  １０５…預け金額  １０６…釣銭  ２００…グループ識別情報  ２０１…合計金額  ２０２…釣銭  ２０３…預け金  ２０４…会計方法  ４００…預け金  ５０１…ＣＰＵ  ５０２…ＲＯＭ  ５０３…ＲＡＭ  ５０４…音声合成回路  ５０５…スピーカ  ５０６…無線通信部  ５０７…ＵＳＢ  Ｉ／Ｆ  ５０８…コードリーダ  ５０９…バッテリー  ５１０…ＬＥＤインジケータ
【図１】
0005182609.tif 000002
【図２】
0005182609.tif 000003
【図３】
0005182609.tif 000004
【図４】
0005182609.tif 000005
【図５】
0005182609.tif 000006
【図６】
0005182609.tif 000007
【図７】
0005182609.tif 000008
【図８】
0005182609.tif 000009
【図９】
0005182609.tif 000010
【図１０】
0005182609.tif 000011
【図１１】
0005182609.tif 000012
【図１２】
0005182609.tif 000013
【図１３】
0005182609.tif 000014
【図１４】
0005182609.tif 000015
【図１５】
0005182609.tif 000016
【図１６】
0005182609.tif 000017
【図１７】
0005182609.tif 000018
【図１８】
0005182609.tif 000019
【図１９】
0005182609.tif 000020
【図２０】
0005182609.tif 000021